(57)【特許請求の範囲】
【請求項１】
導光板の側面に沿って光源を配置し、この光源からの光が導光板の内部に入射した後に導光板の内部を伝播し、この伝播の過程において出射面に対する入射角が臨界角以下になった光が導光板の出射面から出射するようになっている面光源装置において、
前記導光板の出射面とその反対側の面の少なくとも一方に、前記側面の近傍から遠ざかる方向に向かって延設されたプリズム溝が、前記側面に沿って多数平行に形成され、
前記側面から離れた位置に、前記プリズム溝が一定の高さに形成された領域を有し、
前記プリズム溝の少なくとも前記領域よりも前記側面側部分が、前記側面に近づくにしたがって溝深さを漸減させるように形成され、前記側面近傍で切り上げられたことを特徴とする面光源装置。
【請求項２】
導光板の側面に沿って光源を配置し、この光源からの光が導光板の内部に入射した後に導光板の内部を伝播し、この伝播の過程において出射面に対する入射角が臨界角以下になった光が導光板の出射面から出射するようになっている面光源装置において、
前記導光板の出射面とその反対側の面の少なくとも一方に、前記側面の近傍から遠ざかる方向に向かって延設されたプリズム溝が、前記側面に沿って多数平行に形成され、
前記側面及び前記側面と反対側の側面から離れた位置に、前記プリズム溝が一定の高さに形成された領域を有し、
前記プリズム溝の前記領域よりも前記側面側部分及び前記側面と反対の側面側部分が、前記側面及び前記側面と反対の側面に近づくにしたがって溝深さを漸減させるように形成され、前記側面及び前記側面と反対の側面近傍で切り上げられたことを特徴とする面光源装置。
【請求項３】
前記請求項１又は２に記載の面光源装置と、この面光源装置から出射される光によって面状に照明される被照明部材と、を備えたことを特徴とする画像表示装置。
【請求項４】
側面側から入射した光源からの光のうちで、内部を伝播する過程において出射面に対する入射角が臨界角以下になった光が出射面から出射するようになっている導光板において、
前記出射面とその反対側の面の少なくとも一方に、前記側面の近傍から遠ざかる方向に向かって延設されたプリズム溝が、前記側面に沿って多数平行に形成され、
前記側面から離れた位置に、前記プリズム溝が一定の高さに形成された領域を有し、
前記プリズム溝の少なくとも前記領域よりも前記側面側部分が、前記側面に近づくにしたがって溝深さを漸減させるように形成され、前記側面近傍で切り上げられたことを特徴とする導光板。
【請求項５】
側面側から入射した光源からの光のうちで、内部を伝播する過程において出射面に対する入射角が臨界角以下になった光が出射面から出射するようになっている導光板において、
前記出射面とその反対側の面の少なくとも一方に、前記側面の近傍から遠ざかる方向に向かって延設されたプリズム溝が、前記側面に沿って多数平行に形成され、
前記側面及び前記側面と反対側の側面から離れた位置に、前記プリズム溝が一定の高さに形成された領域を有し、
前記プリズム溝の前記領域よりも前記側面側部分及び前記側面と反対の側面側部分が、前記側面及び前記側面と反対の側面に近づくにしたがって溝深さを漸減させるように形成され、前記側面及び前記側面と反対の側面近傍で切り上げられたことを特徴とする導光板。
【発明の詳細な説明】
【０００１】
【発明の属する技術分野】
この発明は、ノート型パソコン，液晶モニタ，携帯型電話機，携帯型電子端末装置，電子手帳，カーナビゲーション装置，デジタルカメラ，ＶＴＲ装置等において、液晶表示パネル（被照明部材）を面状に照明するバックライト等として使用される面光源装置及びこの面光源装置を備えた画像表示装置に関するものであり、また、これら面光源装置及び画像表示装置に使用される導光板に関するものである。
【０００２】
【従来の技術】
例えば、ノート型パソコンや携帯型電子端末装置等に使用される面光源装置は、導光板の側面（入射面）側に光源としての蛍光ランプを配置し、この蛍光ランプからの光を導光板を介して面状に出射し、その出射光で液晶表示パネルを照射するようになっている。そして、このような面光源装置は、液晶表示パネルと共に画像表示装置を構成するようになっている。また、面光源装置の輝度向上等を図るために、従来より種々の工夫が導光板に施されており、その一つとして導光板の入射面に対して略直交する方向へ延びるプリズム溝を導光板の裏面に多数形成したものを本出願人は提案している（例えば、特開平１０−２６８１３８号公報参照）。
【０００３】
図８〜図９は、このような面光源装置３０を示すものである。これらの図に示すように、面光源装置３０は、導光板３１の側面（入射面）３２に対向して配置した蛍光ランプ３３からの光を導光板３１の入射面３２から導光板３１の内部に取り入れる。そして、その導光板３１内に入射した光は、導光板３１内を伝播する過程において、導光板３１の出射面３４への入射角が臨界角以内になると導光板３１の出射面３４から出射する。この際、導光板３１の裏面３５のプリズム溝３６は、図１０に示すように、その傾斜面３７が導光板３１内を伝播する光（Ｍ１）を導光板３１の出射面３４の略法線方向に反射し、導光板３１の出射面３４の略法線方向への光の出射を促し、出射光輝度を高めるようになっている。なお、この面光源装置３０は、導光板３１の裏面３５に対向するように反射シート３８が配置され、導光板３１の裏面３５から出射した光を反射シート３８で拡散反射して導光板３１の内部に戻すようになっている。
【０００４】
【発明が解決しようとする課題】
しかしながら、このような構造の面光源装置３０は、図１０に示すように、蛍光ランプ３３からの光（Ｍ２）が導光板３１の裏面３５のプリズム溝３６間と反射シート３８との間に生じる隙間に侵入し、その隙間に侵入した光（Ｍ２）が反射シート３８で反射されることにより導光板３１に入射した後、導光板３１の蛍光ランプ３３側の出射面３４から出射する。この蛍光ランプ３３側の出射面３４から出射する光は、導光板３１の出射面３４の蛍光ランプ３３側端部近傍全体（図８中の斜線部Ｋ１）を他部よりも明るく目立たせる光漏れという現象を生じる。
【０００５】
また、このように、導光板３１の裏面３５側にプリズム溝３６が形成された面光源装置３０は、図８に示すように、導光板３１の出射面３４の入射面３２近傍に、入射面３２に沿って輝線Ｋ２が繰り返し生じることがある。これは、エッジの写り込みという現象であり、導光板３１の入射面３２の上下に位置するエッジから入射した蛍光ランプ３３の光（Ｍ３，Ｍ４）が、導光板３１の内部を伝播する過程において、プリズム溝３６の傾斜面３７で反射され、導光板３１の入射面３２近傍の出射面３４から出射することにより生じる現象である。
【０００６】
さらに、導光板３１の内部を伝播した蛍光ランプ３３からの光は、導光板３１の入射面３２と反対側の側面４０から導光板３１の外部に出射すると、ケース側壁４１で反射されて導光板３１の内部に戻る。この際、導光板３１の入射面３２と反対側の側面４０近傍の出射面３４においても、上述の光漏れやエッジの写り込みという現象と同様の現象が生じる場合がある。
【０００７】
以上のような光漏れやエッジの写り込みが生じると、導光板３１の入射面３２近傍や入射面３２と反対側の側面４０近傍の出射面３４から出射する光は、他部よりも異常に明るくなり、他部からの出射光輝度よりも著しく大きくなる。その結果、従来の面光源装置３０の照明品質及び従来の画像表示装置４２の画像表示品質の低下を招くことになる。
【０００８】
そこで、本発明は、光漏れやエッジの写り込みを目立ちにくくし、照明品質や画像表示品質を向上させることを目的とする。
【０００９】
【課題を解決するための手段】
請求項１の発明は、導光板の側面に沿って光源を配置し、この光源からの光が導光板の内部に入射した後に導光板の内部を伝播し、この伝播の過程において出射面に対する入射角が臨界角以下になった光が導光板の出射面から出射するようになっている面光源装置に関するものである。そして、前記導光板の出射面とその反対側の面の少なくとも一方に、前記側面の近傍から遠ざかる方向に向かって延設されたプリズム溝が、前記側面に沿って多数平行に形成されている。また、前記側面から離れた位置に、前記プリズム溝が一定の高さに形成された領域を有している。また、前記プリズム溝の少なくとも前記領域よりも前記側面側部分が、前記側面に近づくにしたがって溝深さを漸減させるように形成され、前記側面近傍で切り上げられている。
【００１０】
請求項２の発明は、導光板の側面に沿って光源を配置し、この光源からの光が導光板の内部に入射した後に導光板の内部を伝播し、この伝播の過程において出射面に対する入射角が臨界角以下になった光が導光板の出射面から出射するようになっている面光源装置に関するものである。そして、前記導光板の出射面とその反対側の面の少なくとも一方に、前記側面の近傍から遠ざかる方向に向かって延設されたプリズム溝が、前記側面に沿って多数平行に形成されている。また、前記側面及び前記側面と反対側の側面から離れた位置に、前記プリズム溝が一定の高さに形成された領域を有している。また、前記プリズム溝の前記領域よりも前記側面側部分及び前記側面と反対の側面側部分が、前記側面及び前記側面と反対の側面に近づくにしたがって溝深さを漸減させるように形成され、前記側面及び前記側面と反対の側面近傍で切り上げられている。
【００１１】
請求項３の発明は、前記請求項１又は２の発明の面光源装置と、この面光源装置から出射される光によって面状に照明される被照明部材と、を備えたことを特徴とする画像表示装置である。
【００１２】
請求項４の発明は、側面側から入射した光源からの光のうちで、内部を伝播する過程において出射面に対する入射角が臨界角以下になった光が出射面から出射するようになっている導光板に関するものである。そして、前記出射面とその反対側の面の少なくとも一方に、前記側面の近傍から遠ざかる方向に向かって延設されたプリズム溝が、前記側面に沿って多数平行に形成されている。また、前記側面から離れた位置に、前記プリズム溝が一定の高さに形成された領域を有している。また、前記プリズム溝の少なくとも前記領域よりも前記側面側部分が、前記側面に近づくにしたがって溝深さを漸減させるように形成され、前記側面近傍で切り上げられている。
【００１３】
請求項５の発明は、側面側から入射した光源からの光のうちで、内部を伝播する過程において出射面に対する入射角が臨界角以下になった光が出射面から出射するようになっている導光板に関するものである。そして、前記出射面とその反対側の面の少なくとも一方に、前記側面の近傍から遠ざかる方向に向かって延設されたプリズム溝が、前記側面に沿って多数平行に形成されている。また、前記側面及び前記側面と反対側の側面から離れた位置に、前記プリズム溝が一定の高さに形成された領域を有している。また、前記プリズム溝の前記領域よりも前記側面側部分及び前記側面と反対の側面側部分が、前記側面及び前記側面と反対の側面に近づくにしたがって溝深さを漸減させるように形成され、前記側面及び前記側面と反対の側面近傍で切り上げられている。
【００１４】
【発明の実施の形態】
以下、本発明の実施の形態を図面に基づき詳述する。
【００１５】
図１〜図３は、本発明の実施の形態に係る画像表示装置１を示すものである。このうち、図１は、画像表示装置１の分解斜視図である。又、図２は図１のＡ−Ａ線に沿って切断して示す断面図であり、図３は反射シート２を取り除いて示す図２のＢ方向矢視図である。
【００１６】
（画像表示装置の概略構成）
これらの図において、画像表示装置１は、導光板３の入射面（側面）４に対向するように光源としての棒状の蛍光ランプ５が配置されている。そして、導光板３の出射面（図１中上面）６に対向するように、光制御部材としてのプリズムシート７が重ねて配置され、更にプリズムシートの図１中上面側に被照明部材としての液晶表示パネル８が重ねて配置されるようになっている。又、導光板３の裏面（図１中下面であって、出射面６と反対側の面）１０に対向するように、光反射性に優れた反射シート２が配置されている。尚、上記蛍光ランプ５，導光板３，プリズムシート７及び反射シート２が、液晶表示パネル８を面状に照明する面光源装置１１を構成する。
【００１７】
（導光板）
導光板３は、ＰＭＭＡ（ポリメタクリル酸メチル），ＰＣ（ポリカーボネート），シクロオレフィン系樹脂材料等の光透過性に優れた材料を使用して形成されており、入射面４側から遠ざかるに従って板厚が薄くなるような断面略楔形形状で（図２参照）、且つ平面形状が略矩形形状になるように形成されている（図３参照）。そして、この導光板３の裏面１０には、入射面４に略直交する方向に延びるプリズム溝１２が入射面４に沿って平行に多数形成されている。
【００１８】
この導光板３の裏面１０に形成されたプリズム溝１２は、導光板３の側面側部分１０ｂの所定範囲Ｌ２内において、プリズム溝１２の深さが入射面４に近づく程漸減するように切り上げられており、導光板３の入射面近傍（導光板３の入射面４から遠ざかる方向に所定距離Ｌ１だけ離れた位置までの裏面１０）１０ａでその深さがゼロになるように形成されている（図６参照）。ここで、入射面近傍の寸法Ｌ１は、図６及び図４（ａ）に示すように、入射面４にプリズム溝１２が形成されないようにするため、導光板３の裏面１０の入射面４側端部に極僅かな平面が形成されるようになっている。なお、上述の所定範囲Ｌ２は、導光板３の板厚（特に入射面４側の板厚）やプリズム溝１２の形状等に応じて適宜最良の数値が設定される。また、プリズム溝１２の所定範囲Ｌ２は、滑らかな曲面を形成するように円弧（図６の半径Ｒ１で示す円弧）状に切り上げられている。
【００１９】
また、導光板３の裏面１０に形成されたプリズム溝１２は、導光板３の入射面と反対側の側面側部分１０ｄの所定範囲Ｌ４内において、プリズム溝１２の深さが側面９に近づく程漸減するように切り上げられており、導光板３の入射面４と反対側の側面９近傍（導光板３の側面９から遠ざかる方向に所定距離Ｌ３だけ離れた位置までの裏面１０）でその深さがゼロになるように形成されている（図６参照）。ここで、側面近傍の寸法Ｌ３は、上述のＬ１と同様に、側面９にプリズム溝１２が形成されないようにするため、導光板３の側面９側端部に極僅かな平面が形成されるようになっている。なお、上述の所定範囲Ｌ４は、導光板３の板厚（特に側面９側の板厚）やプリズム溝１２の形状等に応じて適宜最良の数値が設定される。また、プリズム溝１２の所定範囲Ｌ４は、滑らかな曲面を形成するように円弧（図６の半径Ｒ２で示す円弧）状に切り上げられている。
【００２０】
図４（ｂ）〜（ｄ）は、上述のプリズム溝１２の断面形状を示すものであり、図３の導光板をＤ−Ｄ線〜Ｆ−Ｆ線のそれぞれに沿って切断して示す各断面の一部拡大図である。すなわち、プリズム溝１２は、図４（ｄ）に示すように、両側面側部分１０ｂ，１０ｄの所定範囲（Ｌ２，Ｌ４）の間の部分（Ｌ５で示す裏面部分）１０ｅがほぼ一定の高さで形成され、その断面形状が略三角形状になっており、その頂角が５０度〜１３０度の範囲、好ましくは６０度〜１１０度の範囲で決定されるようになっている。また、導光板３の両側面側部分（Ｌ２，Ｌ４で示す範囲）１０ｂ，１０ｄのプリズム溝１２は、図４（ｄ）〜（ｂ）に示す形状に連続的に滑らかに変化し、さらに、図４（ａ）の平面まで滑らかに変化するようになっている。なお、各隣り合うプリズム溝１２，１２間のピッチＰは、図４（ｂ）〜４（ｄ）に示すように略同一である。
【００２１】
このように構成された導光板３の裏面１０側に形成したプリズム溝１２は、図５に示すように、入射面４から入射して導光板３内部を伝播する光のうち、入射面４に略平行の面内の光を出射面６の法線方向へ集光する機能を発揮する。しかし、プリズム溝１２の側面側部分（Ｌ２の範囲）１０ｂは、入射面４に近づくに従って溝深さが漸減し、プリズム溝１２の断面形状が小さくなっていくため（図４（ｄ）〜図４（ｂ）参照）、プリズム溝１２の上記集光機能が入射面４に近づくに従って弱くなる。しかも、導光板３の裏面１０の入射面近傍（Ｌ１の範囲）１０ａにはプリズム溝１２が形成されていない。したがって、本実施の形態の導光板３は、入射面４の上下のエッジから入射した光をプリズム溝１２で強調するようなことがなく、又、蛍光ランプ５からの光がプリズム溝１２と反射シート２との隙間から裏面１０側に直接的に侵入することがない。その結果、本実施の形態によれば、従来例において問題になったような、導光板３の入射面４側のプリズム溝１２に起因する異常発光（図８の光漏れＫ１やエッジの写り込みである輝線Ｋ２）を目立ちにくくすることができる。
【００２２】
また、上述のように、プリズム溝１２の側面側部分（Ｌ４の範囲）１０ｄは、側面９に近づくに従って溝深さが漸減し、プリズム溝１２の断面形状が小さくなっていくため、プリズム溝１２の上記集光機能が側面９に近づくに従って弱くなる。しかも、導光板３の裏面１０の側面近傍（Ｌ３の範囲）１０ｃにはプリズム溝１２が形成されていない。したがって、本実施の形態の導光板３は、入射面４と反対側の側面９の上下のエッジから入射した光をプリズム溝１２で強調するようなことがなく、又、ケース１３の側壁１４で反射された光がプリズム溝１２と反射シート２との隙間から裏面１０ｃ側に直接的に侵入することがない。その結果、本実施の形態によれば、従来例において問題になったような、導光板３の側面９側のプリズム溝１２に起因する異常発光（光漏れやエッジの写り込み）を目立ちにくくすることができる。なお、導光板３の側面側部分１０ｄのプリズム溝１２の形状は、側面９に近づくにしたがって図４（ｄ）〜図４（ｂ）で示す形状に連続的に変化し、更に図４（ｂ）で示す形状から図４（ａ）に示す状態まで滑らかに変化する。
【００２３】
一方、本実施の形態の導光板３は、出射光輝度が低下しやすい部分（入射面４から離れた部分であって、Ｌ５で示す範囲）１０ｅにおいて、プリズム溝１２の集光機能を十分に利用して、出射面６の法線方向への出射を促し（図５参照）、導光板３全体として均質で明るい面照明を可能にしている。
【００２４】
導光板３の出射面６には、出射面６から出射する光を拡散する微細凹凸部（図示せず）が適宜パターン状に形成される。なお、この微細凹凸部の形成密度を出射面６の場所に応じて適宜代えることにより、より一層好ましい出射光の調整が可能になる。このように、導光板３の出射面６に微細凹凸部をパターン状に形成すれば、上述のプリズム溝１２の効果と相俟って、導光板３から出射される面照明の均質化が可能になる。
【００２５】
（プリズムシート）
プリズムシート７は、ＰＥＴ（ポリエチレンテレフタレート），ＰＭＭＡやＰＣ等の光透過性に優れた材料で形成されており、導光板３の出射面６とほぼ同様の矩形形状に形成され、導光板３の出射面６に対向する面（図１及び図２中の下面）にプリズム突起１５が多数形成されている。このプリズムシート７のプリズム突起１５は、上記導光板３のプリズム溝１２に略直交する方向へ延び、入射面４に略直交する方向に沿って多数平行に形成されている。又、このプリズムシート７のプリズム突起１５は、図４（ｄ）に示す導光板３のプリズム溝１２の断面形状とほぼ同様の形状に形成されている。このような構成のプリズムシート７は、導光板３の入射面４に直交し、且つ、導光板３の出射面６に直交する面内の光を、導光板３の出射面６の法線方向に集光する機能を発揮する。すなわち、蛍光ランプ５から発せられた光は、上述の導光板３のプリズム溝１２とこのプリズムシート７のプリズム突起１５とによって、２段階に集光されることになる。尚、導光板３に形成されるプリズム溝１２と、プリズムシート７に形成されるプリズム突起１５とを、異なる形状に形成するようにしてもよい。すなわち、プリズム溝１２とプリズム突起１５の頂角，ピッチ，高さ等は、プリズム溝１２とプリズム突起１５でそれぞれ適宜異ならせても良い。
【００２６】
（反射シート）
反射シート２は、白色ＰＥＴ等の光反射性に優れた材料で形成されており、導光板３の裏面１０とほぼ同様の大きさの矩形形状に形成されている。この反射シート２は、導光板３の裏面１０から出射した光を拡散・反射して導光板３内部に戻し、蛍光ランプ５からの光の有効利用を可能にする。
【００２７】
（本実施の形態の作用・効果）
以上のように構成された本実施の形態の画像表示装置１は、蛍光ランプ５から発せられた光が導光板３の入射面４から導光板３の内部に入射する。導光板３の内部に入射した蛍光ランプ５からの光は、出射面６と裏面１０との間で反射を繰り返して導光板３の内部を伝播する。そして、この導光板３内を伝播する光は、裏面１０で反射される毎に出射面６に対する入射角が低下し、その伝播の過程において出射面６に対する入射角が臨界角以下になったものが出射面６から導光板３の外部に出射する。
【００２８】
ここで、本実施の形態において、導光板３は、上述のように、その裏面１０にプリズム溝１２が形成されているが、両側面側部分１０ｂ，１０ｄのプリズム溝１２が入射面４及び側面９に近づくに従って溝深さを漸減するように連続的に形成され、しかも入射面近傍１０ａ及び側面近傍１０ｃにおいてはプリズム溝１２が形成されていない。そのため、本実施の形態の画像表示装置１は、導光板３の両側面側部分１０ｂ，１０ｄにおいて、入射面４及び側面９に近づくに従ってプリズム溝１２による集光機能が低下する。一方、本実施の形態の画像表示装置１は、導光板３からの出射光の輝度が低くなる部分（入射面４から離れた部分）１０ｅでは、プリズム溝１２による集光機能が十分に発揮され、導光板３の出射面６の法線方向への光の出射が促されるようになっている。
【００２９】
従って、本実施の形態の画像表示装置１によれば、導光板３の入射面４側及び側面９側の出射面６において、導光板３のプリズム溝１２に起因する光漏れやエッジの写り込みという異常発光を目立ちにくくすることができ、導光板３全体から出射される均質で明るい面状の照明光で液晶表示パネル８を照明することが可能になるため、表示画像が明るくて見やすくなり、表示品質が向上する。また、本実施の形態において、画像表示装置１を構成する面光源装置１１や導光板３の照明品質が向上する。
【００３０】
また、本実施の形態の画像表示装置１によれば、面光源装置１１の有効照明領域を広くすることができ、表示画面を大きくすることができる。すなわち、従来の画像表示装置は、光漏れやエッジの写り込みという異常発光の発生する部分を照明に使用できなかったが、本実施の形態の画像表示装置１は、光漏れやエッジの写り込みが目立ちにくいため、従来の画像形成装置で使用できなかった部分をも照明に使用でき、上述のように表示画面を大きくすることができるのである。
【００３１】
（本実施の形態の変形例）
また、上述の実施の形態は、導光板３の裏面１０にプリズム溝１２を形成する態様であるが、導光板３の出射面６に上述の実施の形態のプリズム溝１２と同様のプリズム溝を形成するようにしてもよいし、また、導光板３の裏面１０と出射面６の両面に上述の実施の形態のプリズム溝１２と同様のプリズム溝を形成するようにしてもよい。両面にプリズム溝を形成する場合、一方の面に形成するプリズム溝は、部分的に形成してもよい。
【００３２】
また、上述の実施の形態において、導光板３の内部には、導光板３の屈折率と異なる屈折率の材料からなる微粒子を混入するようにしてもよい。
【００３３】
また、上述の実施の形態において、導光板３のプリズム溝１２は、入射面４に対して直交する方向へ延びるように形成される場合と、入射面４に対して直交する方向から数度程度傾けた方向へ延びるように形成される場合とがある。
【００３４】
また、本発明は、上述の実施の形態に限られず、図７に示すように、導光板３の出射面６に拡散シート１６を重ねて配置し、更に、プリズム突起１７が液晶表示パネル８側に形成された第１のプリズムシート１８を拡散シート１６の上面に重ねて配置し、更に必要であればこの第１のプリズムシート１８のプリズム突起１７と略直交する方向に上向きのプリズム突起２０が形成された第２のプリズムシート２１を第１のプリズムシート１８の上面に重ねて配置する態様にも適用することができる。
【００３５】
また、上述の実施の形態において、導光板３は、図１のＡ−Ａ断面が略楔形形状に形成されているが、これに限られず、図１のＡ−Ａ断面が矩形形状のものでもよい。また、導光板３は、図１のＡ−Ａ断面において、中央部で板厚が薄く、且つ対向する両側面で板厚が厚くなるようにしたものでもよい。このような場合、対向する両側面に光源としての蛍光ランプ５をそれぞれ配置するようにしてもよい。
【００３６】
また、本発明は、上述の実施の形態に限られず、導光板３の入射面４側においてのみプリズム溝１２を切り上げるようにしてもよい。このような構成であっても、少なくとも導光板３の入射面４側における異常発光を目立ちにくくすることができ、有効照明領域を広くでき、表示画像を大きくすることが可能である。
【００３７】
また、本発明は、蛍光ランプ５の代わりに発光ダイオード（ＬＥＤ）を複数並べ、この複数のＬＥＤを光源として使用するようにしてもよい。
【００３８】
【発明の効果】
以上のように、本発明は、少なくとも導光板の光源側の側面近傍でプリズム溝を切り上げることにより、導光板の光源側の側面近傍におけるプリズム溝の集光機能を光源に近づくにしたがって徐々に弱め、導光板のプリズム溝に起因する光漏れやエッジの写り込みという異常発光を目立ちにくくすることができ、導光板全体から出射される均質で明るい面状の照明光で被照明部材を照明することが可能になるため、表示画像が明るくて見やすくなり、表示品質が向上する。また、本発明において、画像表示装置を構成する面光源装置や導光板の照明品質が向上する。
【図面の簡単な説明】
【図１】本発明の第１の実施の形態に係る画像表示装置の分解斜視図である。
【図２】図１のＡ−Ａ線に沿って切断して示す断面図である。
【図３】図２の反射シートを取り除いて示すＢ方向矢視図である。
【図４】導光板の一部拡大断面図であり、（ａ）が図３のＣ−Ｃ線に沿って切断して示す一部拡大断面図、（ｂ）が図３のＤ−Ｄ線に沿って切断して示す一部拡大断面図、（ｃ）が図３のＥ−Ｅ線に沿って切断して示す一部拡大断面図、（ｄ）が図３のＦ−Ｆ線に沿って切断して示す一部拡大断面図である。
【図５】導光板のプリズム溝の集光機能を示す図である。
【図６】図２に示した導光板の両端部を拡大して示す図である。
【図７】本発明の実施の形態に係る画像表示装置の第１の変形例を示す画像表示装置の分解斜視図である。
【図８】従来例の面光源装置の平面図である。
【図９】従来例の面光源装置の側面図である。
【図１０】従来例の面光源装置であって、蛍光ランプを取り外して示す斜視図である。
【符号の説明】
１……画像表示装置、３……導光板、４……入射面（側面）、５……蛍光ランプ（光源）、６……出射面、８……液晶表示パネル（被照明部材）、９……側面（入射面と反対側の側面）、１０……裏面（反対側の面）、１０ｂ，１０ｄ……側面側近傍、１１……面光源装置、１２……プリズム溝
【図１】
0003966541.tif 000002
【図２】
0003966541.tif 000003
【図３】
0003966541.tif 000004
【図４】
0003966541.tif 000005
【図５】
0003966541.tif 000006
【図６】
0003966541.tif 000007
【図７】
0003966541.tif 000008
【図８】
0003966541.tif 000009
【図９】
0003966541.tif 000010
【図１０】
0003966541.tif 000011